(57)【要約】【課題】  手動でファイル名を入力することなく、撮影した画像を表す画像ファイルを識別する。【解決手段】  カメラ付き移動通信装置における音声認識システムを用いた画像ファイルの識別方法（１０）は、上記移動通信装置のデジタルカメラを用いて、画像ファイルに画像を収集する工程（１２）と、上記画像ファイルに音声タグを付加する工程（１４）と、上記移動通信装置に画像ファイルおよび音声タグを格納する工程（１６）と、上記音声タグを発声することにより、画像の検索を起動する工程（１８）と、上記移動通信装置の音声認識装置によって入力された音声タグを処理する工程（２０）と、上記入力された音声タグに対して格納された画像を検索する工程（２２）と、上記入力された音声タグに対応する画像を表示する工程（２４）とを含んでいる。【選択図】  図１
2005276187.tif 000002
【特許請求の範囲】
【請求項１】
カメラ付き移動通信装置における音声認識システムを用いた画像ファイルの識別方法であって、
上記移動通信装置のデジタルカメラを用いて、画像ファイルに画像を収集する工程と、
上記画像ファイルに音声タグを付加する工程と、
上記移動通信装置に画像ファイルおよび音声タグを格納する工程と、
上記音声タグを発声することにより、画像の検索を起動する工程と、
上記移動通信装置の音声認識装置によって入力された音声タグを処理する工程と、
上記入力された音声タグに対して格納された画像を検索する工程と、
上記入力された音声タグに対応する画像を表示する工程とを含んでいることを特徴とする方法。
【請求項２】
単一の音声タグが、関連する１群の画像に対応していることを特徴とする請求項１に記載の方法。
【請求項３】
上記画像がビデオ画像であることを特徴とする請求項１に記載の方法。
【請求項４】
カメラ付き移動通信装置の音声認識システムを用いた画像ファイルの識別方法であって、
上記移動通信装置のデジタルカメラを用いて、画像ファイルに、単一の画像と、１組の画像と、ビデオとを含んだ１組の画像を収集する工程と、
上記画像ファイルに、音声タグを付加する工程と、
上記移動通信装置に、画像ファイルおよび音声タグを格納する工程と、
上記音声タグを発声することにより、画像の検索を起動する工程と、
上記移動通信装置の音声認識装置によって入力された音声タグを処理する工程と、
上記入力された音声タグに対して格納された画像を検索する工程と、
上記入力された音声タグに対応する画像を表示する工程とを含んでいることを特徴とする方法。
【請求項５】
カメラ付き移動通信装置の音声認識システムを用いた画像ファイルの識別方法であって、
上記移動通信装置のデジタルカメラを用いて、画像ファイルに画像を収集する工程と、
上記画像ファイルに音声タグを付ける工程と、
上記移動通信装置に、画像ファイルおよび音声タグを格納する工程とを含んでいることを特徴とする方法。
【請求項６】
上記音声タグを発声することにより、画像の検索を起動する工程と、
上記移動通信装置の音声認識装置によって入力された音声タグを処理する工程と、
上記入力された音声タグに対して格納された画像を検索する工程と、
上記入力された音声タグに対応した画像を表示する工程とをさらに含んでいることを特徴とする請求項５に記載の方法。
【請求項７】
単一の音声タグが、関連する１群の画像に対応していることを特徴とする請求項５に記載の方法。
【請求項８】
上記画像がビデオ画像であることを特徴とする請求項５に記載の方法。
【請求項９】
カメラ、マイク、および記憶部を備えた端末装置において、
上記カメラを操作して画像を撮影し、当該撮影した画像を表す画像ファイルを生成する画像撮影手段と、
上記マイクを通じて入力された音声を録音し、当該録音した音声を表す音声ファイルを生成する音声録音手段と、
上記音声ファイルを、上記画像ファイルを識別するための音声タグとして上記画像ファイルに関連づけ、上記画像ファイルと共に上記記憶部に保存する画像ファイル保存手段とを備えていることを特徴とする端末装置。
【請求項１０】
上記マイクを通じて入力された検索用音声を記録し、当該記録した検索用音声を表す検索用音声ファイルを生成する検索用音声録音手段と、
上記検索用音声録音手段によって生成された上記検索用音声ファイルと、上記記憶部に格納されている画像ファイルに関連付けられている音声ファイルとを比較することによって、上記検索用音声ファイルに少なくとも部分的に一致する音声ファイルに関連づけられている画像ファイルを検索する画像ファイル検索手段とを備えていることを特徴とする請求項９に記載の端末装置。
【発明の詳細な説明】
【技術分野】
【０００１】
本発明は、移動通信装置（ｍｏｂｉｌｅ  ｃｏｍｍｕｎｉｃａｔｉｏｎ  ｈａｎｄｓｅｔｓ）、および、特に、画像を格納するカメラ付きＧＳＭ通信機に関する。
【背景技術】
【０００２】
近年のカメラ付き移動通信装置（たとえば、パナソニックＧＵ−８７、ノキア３６５０、サムソンＶ２０５、シャープＧＸ−２０）は、取得した画像を、別々のフォルダーまたはアルバムに、自動的に分類したり、名前付けしたりすることがない。その代わりに、画像に対応した固有のファイル名を装置内で生成して、このファイル名を画像に付して格納する。移動通信装置は、このようなファイル名を、画像に対して任意に設定する。このようにして画像に付される名前は、移動通信装置に格納されている画像（またはグループ化された複数の画像）をユーザが見つける際の助けにならない。特に、移動通信装置が、画像をサムネイル状態にプレビューする機能を有していない場合、どのような特定の画像も、どこに格納されているのかわからなくなってしまう。
【０００３】
ユーザが既に知っているファイル名か、または画像を説明するためのファイル名を、画像に定義する方法の１つに、移動通信装置に備えられるキーパッドを用いて、ファイル名を手動で入力するものがある。しかし、このような、手動でキーを入力する方法は、極めて面倒である。たとえば、移動通信装置において「ｓｏｃｃｅｒ」という単語を入力するとする。このとき、ユーザは、「７」キーを４回、「６」キーを３回、「２」キーを３回押下し、いったん休止し、「２」キーを３回、「６」キーを３回、「３」キーを２回、「７」キーを３回、押下する必要がある。たとえ、たとえばＴ９のような最適化されたキーパッド入力方法を利用できるとはいえ、このような入力方法は依然として面倒である。したがって、これらの解決策は、画像に素早く名前を付することに適さない。
【０００４】
特許文献１には、（１）住所録、（２）データ・ブック、（３）メモ帳、（４）Ｔｏ‐Ｄｏリスト、（５）予定管理ソフト、（６）家計簿（ｅｘｐｅｎｓｅ  ｔｒａｃｋｅｒ）、（７）ｅ‐ｍａｉｌクライアント、および、（８）プロジェクト・マネージャのうちの少なくとも１つ（これは、多重データ入力を含んでいる）を表示する表示部を含んでいる、携帯型データ収集装置が開示されている。このデータ収集装置には、入力装置が接続されているため、ユーザからの音声データを適切に受信できる。また、このデータ収集装置は、音声データを格納し、かつ、音声データを少なくとも１つのデータ項目と対応付ける。
【０００５】
特許文献２には、音声認識機能および音声合成機能を有する携帯電話が開示されている。この形態電話は、１組の音声コマンドに対応した１組の音声認識テンプレートを格納する記憶装置と、音声コマンドを電気的信号に変換する変換器とを備えている。また、記憶装置に格納され、変換された音声コマンドが１組の音声コマンドのうちの１つに対応しているかどうかを識別する上記テンプレートと共に、変換された音声コマンドを解析する信号処理装置が備えられている。電話のユーザは、選択された言語用の１組のテンプレートを、中央局から無線伝送チャネルを介して（電話の記憶装置に）ダウンロードすることを選択できる。この文献２には、ユーザが発した音声と、装置に格納されている指示テンプレートとが一致しているかどうかを決定するために、移動装置において音声認識を使用することが記載されている。すなわち、この装置に向けて発せられた音声は、タグとして用いられない。
【０００６】
特許文献３には、医用画像を識別するデータを入力し、これらの識別データを医用画像と組み合わせる、識別局（ｉｄｅｎｔｉｆｉｃａｔｉｏｎ  ｓｔａｔｉｏｎ）が開示されている。この識別局には、音声認識用のサブ装置と、音声識別を介してデータを入力するマイクとが備えられている。この引例では、ネットワークに接続されているＰＣまたはワークステーションを使用する必要がある。また、このシステムは、医用画像を格納するための音声識別データを使用する。
【０００７】
特許文献４には、第１ユーザ選択可能オプション（ｆｉｒｓｔ−ｕｓｅｒ−ｓｅｌｅｃｔａｂｌｅ  ｏｐｔｉｏｎｓ）を提供するＵＩ（ユーザインタフェース）を備えている電子装置が開示されている。この電子装置では、第１ユーザ選択可能オプションのうちの特定の１つを選択するために、第２ユーザ選択可能オプション（ｓｅｃｏｎｄ−ｕｓｅｒ−ｓｅｌｅｃｔａｂｌｅ  ｏｐｔｉｏｎｓ）が用いられる。提供された場合（ｗｈｅｎ  ｒｅｎｄｅｒｅｄ）の第１オプションの情報解像度（ｉｎｆｏｒｍａｔｉｏｎ  ｒｅｓｏｌｕｔｉｏｎ）は、提供された場合の第２オプションの情報解像度とは異なっている。さらに、第１オプションから選択するためのＵＩと、ユーザとの相互関係の第１様式は、第２オプションから選択するためのＵＩと、ユーザとの相互関係の第２様式と異なっている。この引例には、装置（携帯電話を含む）に格納されている特定の電話番号またはアドレスを表示するために、音声認識システムを使用することが記載されている。
【０００８】
特許文献５には、ＰＤＡ用の音声認識モジュールが開示されている。この音声認識モジュールは、ＰＤＡの付属機能（たとえば付属スロット、音声コマンドをユーザから受信するマイク、および、音声認識システム）との連動用に設計されたモジュールハウジングを含んでいる。この装置では、音声コマンド電気信号が、ポータブルコンピュータデバイスに伝送される。これにより、ポータブルコンピュータデバイスにおいて実行されるソフトウェアアプリケーションプログラムの動作を制御できる。特に、メニュー項目を、たとえば体重調節プログラム中のユーザ用のダイエットログを作成するために選択する。このシステムは、音声認識ソフトウェアを有するＰＤＡを使用する。
【０００９】
特許文献６には、ハードコピーまたは電子的形態によって、ユーザに画像を示すシステムが開示されている。画像が有する特定のピクチャ機能は、それぞれ、ユーザに示される情報を有している。ユーザは、たとえば、機能選択ツールを用いてピクチャ機能を選択することにより、このような情報を求める。また、ユーザが、情報を提供しないピクチャ機能を選択するとき、この機能の識別子（たとえば画像の座標）が出力され、ピクチャおよびそれに対応する情報をユーザに提供する。好ましくは、ピクチャ機能についての情報を求めるために、ユーザは、この機能を選択すると共に、音声によってクエリを入力する。たとえば、選択された機能がその情報を有していない場合に、ユーザのクエリも、ピクチャおよびそれに対応する情報の提供に関わる人物に返信される。この引例は、サーバから画像またはピクチャにアクセスするために、音声ブラウザを使用することについて記載している。音声コマンドは、携帯電話を介して送信してもよく、また、サーバからこの携帯電話に画像を送信してもよい。
【特許文献１】Ｍａｊａｎｉｅｍｉ、米国特許番号第６，１７８，４０３、Ｍｏｂｉｌｅ  ｃｏｍｍｕｎｉｃａｔｉｏｎ  ｄｅｖｉｃｅｓ  ｈａｖｉｎｇ  ｓｐｅｅｃｈ  ｒｅｃｏｇｎｉｔｉｏｎ  ｆｕｎｃｔｉｏｎａｌｉｔｙ（特許付与日：２００２年５月２１日）。
【特許文献２】Ｄｅｔｌｅｆ、米国特許番号第６，３９３，４０３、Ｄｉｓｔｒｉｂｕｔｅｄ  ｖｏｉｃｅ  ｃａｐｔｕｒｅ  ａｎｄ  ｒｅｃｏｇｎｉｔｉｏｎ  ｓｙｓｔｅｍ（特許付与日：２００１年１月２３日）。
【特許文献３】Ｄｅｗａｅｌｅ、米国特許番号第６，０４７，２５７、Ｉｄｅｎｔｉｆｉｃａｔｉｏｎ  ｏｆ  ｍｅｄｉｃａｌ  ｉｍａｇｅｓ  ｔｈｒｏｕｇｈ  ｓｐｅｅｃｈ  ｒｅｃｏｇｎｉｔｉｏｎ」、特許付与日：２０００年４月４日）
【特許文献４】Ｓｈｔｅｙｎ、米国特許公開番号第２００３０１１７３６５、ＵＩ  ｗｉｔｈ  ｇｒａｐｈｉｃｓ−ａｓｓｉｓｔｅｄ  ｖｏｉｃｅ  ｃｏｎｔｒｏｌ  ｓｙｓｔｅｍ、公開日：２００３年６月２６日）
【特許文献５】Ｍａｕｌｉ、米国特許公開番号第２００３０１６３３２１、Ｓｐｅｅｃｈ  ｒｅｃｏｇｎｉｔｉｏｎ  ｃａｐａｂｉｌｉｔｙ  ｆｏｒ  ａ  ｐｅｒｓｏｎａｌ  ｄｉｇｉｔａｌ  ａｓｓｉｓｔａｎｔ（公開日：２００３年８月２８日）
【特許文献６】Ｂｅｌｒｏｓｅ、アメリカ特許公開番号第２００３０１４４８４３、Ｍｅｔｈｏｄ  ａｎｄ  ｓｙｓｔｅｍ  ｆｏｒ  ｃｏｌｌｅｃｔｉｎｇ  ｕｓｅｒ−ｉｎｔｅｒｅｓｔ  ｉｎｆｏｒｍａｔｉｏｎ  ｒｅｇａｒｄｉｎｇ  ａ  ｐｉｃｔｕｒｅ、公開日：２００３年７月３１日
【発明の開示】
【発明が解決しようとする課題】
【００１０】
しかし、上述した各特許文献には、以下に示す問題点がある。
【００１１】
特許文献１は、カメラ付き移動通信装置に関するものではなく、また、音声タグを、端末装置によって収集された画像や動画に関連づける点に関して、何ら開示していない。
【００１２】
特許文献２では、端末装置に入力される音声は、タグとして利用されない。
【００１３】
特許文献３では、ネットワークを利用する必要があり、また、医療用の画像を扱うことに限定されている。
【００１４】
特許文献４は、格納されている画像や動画に音声タグを関連づける点に関して、何ら開示していない。
【００１５】
特許文献５では、ユーザが入力した音声を、タグとして利用していない。
【００１６】
特許文献６では、保存されている画像を取得して表示するために、サーバに接続する必要がある。
【００１７】
本発明の目的は、音声タグを用いて画像ファイルを識別する方法を提供することにある。本発明の他の目的は、格納された画像を、手動のキーパッド入力を行わないで識別することにある。また、本発明のさらに他の目的は、埋込み型音声タグを備えた、画像、１組の画像、または、ビデオを提供することにある。また、本発明の他の目的は、格納された音声タグ付きの画像の検索を、音声認識の開始によって行うことを提供することにある。
【００１８】
本発明の概要および目的は、本発明を迅速に理解できるように記載したものである。本発明の好ましい実施形態についての以下の詳細な説明を、図面と共に参照することにより、本発明をより詳しく理解できる。
【００１９】
本発明は上記の課題を解決するためになされたものであり、その目的は、画像識別方法および端末装置を提供することにある。
【課題を解決するための手段】
【００２０】
本発明に係る画像ファイルの識別方法は、上記の課題を解決するために、カメラ付き移動通信装置における音声認識システムを用いた画像ファイルの識別方法であって、上記移動通信装置のデジタルカメラを用いて、画像ファイルに画像を収集する工程と、上記画像ファイルに音声タグを付加する工程と、上記移動通信装置に画像ファイルおよび音声タグを格納する工程と、上記音声タグを発声することにより、画像の検索を起動する工程と、上記移動通信装置の音声認識装置によって入力された音声タグを処理する工程と、上記入力された音声タグに対して格納された画像を検索する工程と、上記入力された音声タグに対応する画像を表示する工程とを含んでいることを特徴としている。
【００２１】
また、本発明に係る画像ファイルの識別方法では、単一の音声タグが、関連する１群の画像に対応していることが好ましい。
【００２２】
また、本発明に係る画像ファイルの識別方法では、上記画像がビデオ画像であることが好ましい。
【００２３】
本発明に係る画像ファイルの識別方法は、上記の課題を解決するために、カメラ付き移動通信装置の音声認識システムを用いた画像ファイルの識別方法であって、上記移動通信装置のデジタルカメラを用いて、画像ファイルに、単一の画像と、１組の画像と、ビデオとを含んだ１組の画像を収集する工程と、上記画像ファイルに、音声タグを付加する工程と、上記移動通信装置に、画像ファイルおよび音声タグを格納する工程と、上記音声タグを発声することにより、画像の検索を起動する工程と、上記移動通信装置の音声認識装置によって入力された音声タグを処理する工程と、上記入力された音声タグに対して格納された画像を検索する工程と、上記入力された音声タグに対応する画像を表示する工程とを含んでいることを特徴としている。
【００２４】
本発明に係る画像ファイルの識別方法は、上記の課題を解決するために、カメラ付き移動通信装置の音声認識システムを用いた画像ファイルの識別方法であって、上記移動通信装置のデジタルカメラを用いて、画像ファイルに画像を収集する工程と、上記画像ファイルに音声タグを付ける工程と、上記移動通信装置に、画像ファイルおよび音声タグを格納する工程とを含んでいることを特徴としている。
【００２５】
また、本発明に係る画像ファイルの識別方法は、上記音声タグを発声することにより、画像の検索を起動する工程と、上記移動通信装置の音声認識装置によって入力された音声タグを処理する工程と、上記入力された音声タグに対して格納された画像を検索する工程と、上記入力された音声タグに対応した画像を表示する工程とをさらに含んでいることが好ましい。
【００２６】
また、本発明に係る画像ファイルの識別方法では、単一の音声タグが、関連する１群の画像に対応していることが好ましい。
【００２７】
また、本発明に係る画像ファイルの識別方法では、上記画像がビデオ画像であることが好ましい。
【００２８】
本発明に係る端末装置は、上記の課題を解決するために、カメラ、マイク、および記憶部を備えた端末装置において、上記カメラを操作して画像を撮影し、当該撮影した画像を表す画像ファイルを生成する画像撮影手段と、上記マイクを通じて入力された音声を録音し、当該録音した音声を表す音声ファイルを生成する音声録音手段と、上記音声ファイルを、上記画像ファイルを識別するための音声タグとして上記画像ファイルに関連づけ、上記画像ファイルと共に上記記憶部に保存する画像ファイル保存手段とを備えていることを特徴としている。
【００２９】
上記の構成によれば、本装置では、画像撮影手段が、カメラを操作して画像を撮影する。これにより、カメラによって撮影された画像を表す画像ファイルを生成する。この画像ファイルとして、たとえば、ビットマップファイルや、ＪＰＥＧファイルを生成する。
【００３０】
本装置では、音声録音手段が、マイクを通じて入力された音声を録音する。これにより、マイクを通じて録音された音声を表す音声ファイルを生成する。この音声ファイルとして、たとえば、ＷＡＶＥファイルやＭＰ３ファイルを生成する。
【００３１】
さらに、本装置では、画像ファイル保存手段が、画像ファイルを記憶部に保存する。このとき、画像ファイル保存手段は、音声ファイルを、画像ファイルを識別するための音声タグとして画像ファイルに関連づけ、画像ファイルと共に記憶部に保存する。たとえば、画像ファイルに音声ファイルを付加することによって、音声ファイル付き画像ファイルを生成し記憶部に保存する。
【００３２】
以上の処理によって、本装置に備えられる記憶部には、音声ファイル付き画像ファイルが格納される。このとき格納される画像ファイルには、画像ファイルを識別するための音声タグとしての音声ファイルが付加されている。すなわち、画像ファイルに付加されている音声ファイルは、画像ファイルの識別に用いることが可能なファイル名としての役割が与えられる。
【００３３】
このように、本装置では、画像を撮影することによって取得した画像ファイルに、名前を設定する（ファイル名を付する）際、ユーザは、キーパッドなどの手入力を要する入力手段を用いる必要がない。したがって、ユーザは、わずらわしい手入力を要することなく、画像ファイルに簡単にファイル名を設定し、画像ファイルを識別できる効果を奏する。
【００３４】
また、本発明に係る端末装置は、上記マイクを通じて入力された検索用音声を記録し、当該記録した検索用音声を表す検索用音声ファイルを生成する検索用音声録音手段と、上記検索用音声録音手段によって生成された上記検索用音声ファイルと、上記記憶部に格納されている画像ファイルに関連付けられている音声ファイルとを比較することによって、上記検索用音声ファイルに少なくとも部分的に一致する音声ファイルに関連づけられている画像ファイルを検索する画像ファイル検索手段とをさらに備えていることが好ましい。
【００３５】
本装置では、検索用音声録音手段が、マイクを通じて入力された検索用音声を録音する。これにより、マイクを通じて録音された検索用音声を表す音声ファイルを生成する。この音声ファイルとして、たとえば、ＷＡＶＥファイルやＭＰ３ファイルを生成する。
【００３６】
さらに、本装置では、画像ファイル検索手段が、検索用音声録音手段によって生成された検索用音声ファイルと、記憶部に格納されている画像ファイルに関連付けられている音声ファイルとを比較する。これにより、検索用音声ファイルに少なくとも部分的に一致する音声ファイルに関連づけられている画像ファイルを、記憶部から検索する。ここでいう「少なくとも部分的に一致する」とは、検索用音声ファイルの少なくとも一部が、音声ファイルの少なくとも一部に一致することを意味する。すなわち、この表現には、検索用音声ファイルと音声ファイルとが完全に一致する意味も含まれる。
【００３７】
さらに、ここでいう「一致」とは、比較対象のデータ列が実質的に一致することを意味する。すなわち、この表現には、比較対象のデータ構造そのものが完全に一致する意味、および、比較対象のデータによって表される音声が互いに一致する意味を含んでいる。
【００３８】
以上のように、本装置では、音声タグとしての音声ファイルによってファイル名が付されている画像ファイルを、ユーザが発した検索用音声に基づき検索し見つけ出すことができる。したがって、画像ファイルを検索する際、ユーザは、画像ファイルのファイル名を、キーパッドなどの手入力を要する入力手段を用いる必要がない。これにより、ユーザは、わずらわしい手入力を要することなく、画像ファイルを簡単に検索できる効果を奏する。
【発明の効果】
【００３９】
以上のように、本発明に係る画像ファイルの識別方法は、画像ファイルに音声タグを関連づけて格納する工程を含んでいるため、手動でファイル名を入力することなく、撮影した画像を表す画像ファイルを識別することができる効果を奏する。
【発明を実施するための最良の形態】
【００４０】
本発明の一実施形態について、図１〜図４を参照して以下に説明する。
【００４１】
本発明に係る方法は、画像を「名前付け」するものである。ここでいう「画像」とは、カメラ付き移動端末装置が収集し、かつ、音声タグを用いて格納する、デジタル画像およびビデオの少なくともいずれかであると定義される。本発明に係る方法における音声タグを、画像を後に検索するために使用してもよい。本発明に係る方法の利点は、ユーザが手動でキー入力を全く行わずに、端末装置に組み込まれた音声記録機能および音声検出機能を使用することにより、格納された画像を名前付けできる点にある。さらに、ユーザは、音声タグによって識別された画像を、迅速に検索かつ表示できる。ユーザが画像を検索した後、画像を、スライドショーの一部として表示してもよいし、ＰＣまたは他の画像取得装置に電子メールによって送信してもよいし、あるいは、他のマルチメディア装置（たとえばＴＶ）に伝送してもよい。
【００４２】
以下に、図１を参照しながら、本発明に係る方法の概略を１０に示す。図１は、本発明の方法を示すブロック図である。デジタル画像を、移動端末装置に内蔵されているＣＣＤカメラを用いて収集する（１２）。端末装置のコーデックを用いて、音声タグを、デジタル画像の一部として記録する（１４）。
【００４３】
画像を格納するために、ユーザは、端末装置のカメラ機能を用いて、所望の画像を収集する。音声タグは、端末装置のマイクによって記録される。この画像および音声タグに了解すると、ユーザは、画像および音声タグを、端末装置の記憶装置に、単一のオブジェクトとして格納する（１６）。単一のイベントに対応した複数の画像については、ユーザは、このイベントに対する１組の画像の中のどの画像に対しても、単一の音声タグを用いることができる。
【００４４】
ユーザが、画像、１組の画像、または、ビデオを取り出すことができる状態にある場合、ユーザは、この画像の音声タグを用いて、端末装置に音声で語る。この音声認識アルゴリズム（標準的には、音声起動ダイアル操作）は、入力される音声と、音声タグとを比較し、解析する。音声タグを用いた結果として、一致する画像を端末装置に表示する。検索工程では、ユーザが、正確な音声タグを用いて端末装置のマイクに音声を語ることが求められる（１８）。入ってくる音声を音声符号／復号化器が処理し（２０）、音声タグと一致しているかを判断する（２２）。全て一致していることが明らかになると、特定の音声タグに対応した画像が表示される（２４）。ユーザは、画像を１つずつ表示する必要はなく、表示された全ての画像を、メールサーバ、他の端末装置、フォルダー、または、ＰＣに送信できる。さらに、画像はビデオを含んでいてもよい。そのため、所望の画像を、今後観賞するために、ＴＶまたはビデオレコーダに伝送してもよい。ＴＶを用いた場合、ビデオと静止画像とを鑑賞できる。
【００４５】
以上のように、音声認識を用いて移動通信装置の画像を識別し分類するための方法およびシステムを開示した。特許請求の範囲に規定するような本発明の範囲内で、本発明をさらに変更および修正してもよいことが理解されるだろう。
【００４６】
以上に説明した画像識別方法を実行する通信端末装置１の詳細について、図２〜図４を参照して以下に説明する。まず、通信端末装置１の構成の一例について、図２を参照して以下に説明する。
【００４７】
図２は、本発明の一実施形態に係る通信端末装置１の構成を詳細に示すブロック図である。この図に示すように、通信端末装置１は、制御部３０、操作部３２、表示部３４、通信部３６、無線アンテナ３８、カメラ４０、画像撮影部４２（画像撮影手段）、画像ファイル処理部４４、画像ファイル保存部４６（画像ファイル保存手段）、記憶部４８、マイク５０、音声録音部５２（音声録音手段）、音声ファイル処理部５４、および画像ファイル検索部５６（画像ファイル検索手段）を備えている。
【００４８】
制御部３０は、通信端末装置１全体の動作を統括的に制御する。
【００４９】
操作部３２は、ユーザによる操作を受け付け、受け付けた操作に対応するコマンド信号を制御部３０に出力する。
【００５０】
表示部３４は、ユーザによる操作を受け付けるための画面を表示したり、後述するカメラ４０によって撮影された画像を表示したり、後述する画像ファイル検索部５６によって検索された画像ファイルが表す画像を表示したりする。
【００５１】
通信部３６は、無線アンテナ３８を介して、他の装置やサーバとの間でデータをやり取りする。
【００５２】
カメラ４０は、画像を撮影する。このカメラ４０は、たとえばデジタルカメラである。
【００５３】
画像撮影部４２は、カメラ４０を操作して画像を撮影する。これにより、撮影した画像を表す画像ファイルを生成する。
【００５４】
画像ファイル処理部４４は、画像撮影部４２によって生成された画像ファイルに、圧縮等の所定の処理を施す。
【００５５】
画像ファイル保存部４６は、画像ファイルを記憶部４８に保存する。その際、後述する音声録音部５２によって生成される音声ファイルを、画像ファイルを識別するための音声タグとして画像ファイルに関連づける。これにより、画像ファイル保存部４６は、音声ファイル付きの画像ファイルを、記憶部４８に保存する。
【００５６】
記憶部４８は、音声ファイル付きの画像ファイルを格納する。この記憶部４８は、たとえばハードディスクなどの、不揮発性の記憶装置である。
【００５７】
マイク５０は、音声を録音する。このマイク５０は、一般に知られている通常のマイクであればよい。
【００５８】
音声録音部５２は、マイク５０を通じて入力された音声を録音する。これにより、録音した音声を表す音声ファイルを生成する。
【００５９】
音声ファイル処理部５４は、音声ファイルに、圧縮処理や、音声の特徴部分の切り出し処理などの所定の処理を施す。
【００６０】
画像ファイル検索部５６は、音声録音部５２によって生成された検索用音声ファイルと、記憶部４８に格納されている画像ファイルに関連付けられている音声ファイルとを比較する。これにより、検索用音声ファイルに少なくとも部分的に一致する音声ファイルに関連づけられている画像ファイルを検索する。
【００６１】
通信端末装置１が、撮影した画像を表す画像ファイルに、録音した音声を表す音声ファイルを音声タグとして関連づけて記憶部４８に保存する処理の流れの一例を、図３を参照して以下に説明する。図３は、通信端末装置１が、画像ファイルに音声タグを関連づけて記憶部４８に保存する処理の流れの一例を示すフローチャートである。
【００６２】
この図に示すように、通信端末装置１は、画像の撮影処理を開始する前に、ユーザによる撮影操作を待つ。具体的には、ユーザが操作部３２を通じて、カメラ４０のシャッター操作を行うことを待つ。ここで、ユーザによって、カメラ４０のシャッターがオンにされたか否かを、制御部３０が判定する（Ｓ３０）。シャッターがオンにされない場合（Ｎｏ）、制御部３０は、Ｓ３０における判定を繰り返す。シャッターがオンにされた場合（Ｙｅｓ）、画像撮影部４２が、カメラ４０を操作して画像を撮影する。そして、撮影した画像を表す画像ファイルを生成し、画像ファイル処理部４４に出力する。画像ファイル処理部４４は、圧縮などの所定の処理を画像ファイルに施し、処理後の画像ファイルを画像ファイル保存部４６に出力する。
【００６３】
次に、通信端末装置１は、ユーザに対して、撮影した画像を保存するか否かを問い合わせる（Ｓ３１）。具体的には、表示部３４に、ユーザに対して撮影した画像を保存するか否かを問い合わせる画面を表示する。ここで、ユーザが、表示部３４に表示されている「保存」ボタンを押下するなどして、撮影した画像を保存することを選択する（Ｙｅｓ）と、画像ファイル保存部４６は、入力された画像ファイルを、いったん、記憶部４８に保存する（Ｓ３２）一方、ユーザが、表示部３４に表示されている「Ｎｏ」ボタンを押下するなどして、撮影した画像を保存しないことを選択する（Ｎｏ）と、画像ファイル保存部４６は、入力された画像ファイルを消去する。このとき撮影処理はＳ３０に戻り、繰り返される。
【００６４】
次に、通信端末装置１は、音声の録音を開始する（Ｓ３３）。具体的には、ユーザが、操作部３２の一部としての録音開始スイッチを操作して、録音処理を開始する。ユーザは、マイク５０に向かって、画像ファイルに付加する名前を音声として発声する。通信端末装置１では、音声録音部５２が、マイク５０を通じて入力された音声を録音する。
【００６５】
ここで、音声録音部５２による音声の録音中、制御部３０は、ユーザが音声の録音を終了させる操作を行ったか否かを判定する（Ｓ３４）。具体的には、制御部３０は、ユーザが、操作部３２の一部である録音停止スイッチを押下したか否かを判定する。制御部３０が、ユーザによる録音停止スイッチの押下を検出しない場合（Ｎｏ）、音声録音部５２は、音声の録音を続ける。一方、制御部３０が、ユーザによる録音停止スイッチの押下を検出した場合（Ｙｅｓ）、音声録音部５２は、音声の録音を終了し、録音した音声を表す音声ファイルを生成する。これにより、音声録音部５２は、生成した音声ファイルを音声ファイル処理部５４に出力する。音声ファイル処理部５４は、入力された音声ファイルに、圧縮や、音声の特徴部分の切り出しなどの所定の処理を施し（Ｓ３５）、処理後の音声ファイルを画像ファイル保存部４６に出力する。
【００６６】
音声ファイルが入力されると、画像ファイルは、一時的に保存した画像ファイルを記憶部４８から読み出す。そして、入力された音声ファイルを、画像ファイルを識別するための音声タグとして画像ファイルに関連づける。たとえば、画像ファイルに音声ファイルを付加して、音声ファイル付きの画像ファイルを生成する。これにより、画像ファイル保存部４６は、音声ファイル付きの画像ファイルを記憶部４８に保存する（Ｓ３６）。
【００６７】
この後、通信端末装置１は、ユーザに対して、画像の撮影を終了するべきか否かを問い合わせる（Ｓ３７）。具体的には、表示部３４に、撮影を終了するべきか否かを問い合わせる画面を表示する。ここで、ユーザが、操作部３２を通じて、表示部３４に表示されている「終了」ボタンを押下するなどして、撮影を終了すべきことを選択する（Ｙｅｓ）と、通信端末装置１における画像の撮影処理は終了する。一方、ユーザが、操作部３２を通じて、表示部３４に表示されている「Ｎｏ」ボタン押下するなどして、撮影を終了すべきでないことを選択する（Ｎｏ）と、処理はＳ３０に戻って、上述した一連の撮影処理が繰り返される。
【００６８】
以上の処理によって、通信端末装置１に備えられる記憶部４８には、音声ファイル付き画像ファイルが格納される。このとき格納される画像ファイルには、画像ファイルを識別するための音声タグとしての音声ファイルが付加されている。すなわち、画像ファイルに付加されている音声ファイルは、画像ファイルの識別に用いることが可能なファイル名としての役割が与えられる。
【００６９】
このように、通信端末装置１では、画像を撮影することによって取得した画像ファイルに、名前を設定する（ファイル名を付する）際、ユーザは、キーパッドなどの手入力を要する入力手段を用いる必要がない。したがって、ユーザは、わずらわしい手入力を要することなく、画像ファイルに簡単にファイル名を設定でき、画像ファイルを識別できる。
【００７０】
通信端末装置１が、録音した検索用音声に基づき、記憶部４８に格納されている画像ファイルを検索する処理の流れの一例を、図４を参照して以下に説明する。図４は、通信端末装置１が、入力された検索用音声に基づき、記憶部４８に格納されている画像ファイルを検索する処理の流れの一例を示すフローチャートである。
【００７１】
ユーザは、マイク５０に向かって、画像ファイルを検索するための検索用音声を発声する。通信端末装置１では、音声録音部５２が、マイク５０を通じて入力された検索用音声を録音する（Ｓ４０）。音声録音部５２は、録音した検索用音声を表す検索用音声ファイルを生成し、音声ファイル処理部５４に出力する。音声ファイル処理部５４は、入力された検索用音声ファイルを、画像ファイル検索部５６に出力する。
【００７２】
上述したように、記憶部４８には、音声ファイル付き画像ファイルが格納されている。そこで、画像ファイル検索部５６は、記憶部４８に格納されている最初の音声ファイル付き画像ファイルを読み出す。画像ファイル検索部５６は、画像ファイルに付加されている音声ファイルと、入力された検索用音声ファイルとを比較して、両者が一致しているか否かを判定する（Ｓ４１）
ここで、両者が一致していると判定した場合（Ｙｅｓ）、画像ファイル検索部５６は、一致していると判定した音声ファイルに関連している画像ファイルを選択する（Ｓ４２）。具体的には、たとえば、画像ファイルに選択フラッグを立てる。一方、両者が一致していないと判定した場合（Ｎｏ）、画像ファイル検索部５６は、一致していないと判定した音声ファイルを選択しない（Ｓ４３）。そのため、このような画像ファイルには選択フラッグを立てない。
【００７３】
画像ファイル検索部５６は、記憶部４８にアクセスし、他に、検索の対象としていない、音声ファイル付き画像ファイルが存在するか否かを判定する。すなわち、画像ファイル検索部５６は、一致性を判定した画像ファイルが、最後の画像ファイルであるか否かを判定する（Ｓ４４）。ここで、最後の画像ファイルでないと判定した場合（Ｎｏ）、画像ファイル検索部５６は、記憶部４８から、まだ検索の対象としていない音声ファイル付き画像ファイルを、次の候補として選択する（Ｓ４５）。これにより、処理はＳ４１に戻って、画像ファイル検索部５６は、次の候補としての音声ファイル付き画像ファイルを対象に、上述した一致性判定処理を行う。
【００７４】
一方、画像ファイル検索部５６は、一致性を判定した画像ファイルが、最後の画像ファイルであると判定した場合（Ｙｅｓ）、選択した画像を一括して処理する（Ｓ４６）。具体的には、選択フラッグを立てた画像ファイル（複数の画像ファイルであってもよい）を、制御部３０に出力する。これにより、制御部３０は、入力された画像ファイルが表す画像を表示部３４に表示する。
【００７５】
以上のように、通信端末装置１では、音声タグとしての音声ファイルによってファイル名が付されている画像ファイルを、ユーザが発した検索用音声に基づき検索し見つけ出すことができる。したがって、画像ファイルを検索する際、ユーザは、画像ファイルのファイル名を、キーパッドなどの手入力を要する入力手段を用いる必要がない。これにより、ユーザは、わずらわしい手入力を要することなく、画像ファイルを簡単に検索できる。
【００７６】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【００７７】
たとえば、カメラ４０は、画像に加え、動画を撮影することもできる。したがって、画像ファイル保存部４６は、動画を表す動画ファイルに、音声を表す音声ファイルを音声タグとして関連づけ、共に記憶部４８に保存してもよい。このことから、画像ファイル検索部５６は、音声ファイル付き動画ファイルを、検索の対象とすることもできる。
【００７８】
また、画像ファイル検索部５６は、検索用音声ファイルに少なくとも部分的に一致する音声ファイルに関連づけられている画像ファイルを、記憶部４８から検索すればよい。ここでいう「少なくとも部分的に一致する」とは、検索用音声ファイルの少なくとも一部が、音声ファイルの少なくとも一部に一致することを意味する。したがって、画像ファイル検索部５６は、検索用音声ファイルの少なくとも一部と、音声ファイルの少なくとも一部が互いに一致するか否かを判定すればよい。ここで、両者が一致する場合、画像ファイル検索部５６は、一致すると判定した音声ファイルに関連づけられている画像ファイルを検索する。
【００７９】
また、「少なくとも部分的に一致する」とは、検索用音声ファイルと音声ファイルとが完全に一致する意味も含んでいる。したがって、画像ファイル検索部５６は、検索用音声ファイルと、音声ファイルとが、互いに完全に同一なファイルである場合、両者が一致していると判定すればよい。
【００８０】
さらに、ここでいう「一致」とは、比較対象のデータ列が実質的に一致することを意味する。すなわち、この表現は、比較対象のデータ構造そのものが完全に一致する意味、および、比較対象のデータによって表される音声が互いに一致する意味を含んでいる。後者の場合、画像ファイル検索部５６は、検索用音声ファイルおよび音声ファイルを音声解析（音声認識）する機能を有していればよい。これにより、検索用音声ファイルが表す音声の一部と、音声ファイルが表す音声の一部とが、互い一致している場合に、検索用音声ファイルと音声ファイルとが互いに一致していると判定すればよい。このとき、画像ファイル検索部５６は、音声ファイルが部分的に一致する画像ファイルを検索するため、完全一致の場合に比べてより多くの画像ファイルを検索できる。
【００８１】
画像ファイルのファイル形式は、画像をコードする形式であれば、どのようなものでもかまわない。たとえば、ビットマップファイル形式や、ＪＰＥＧファイル形式であればよいし、これらに限定されるものでもない。
【００８２】
音声ファイルのファイル形式は、音声をコードする形式であれば、どのようなものでもかまわない。たとえば、ＷＡＶＥ形式や、ＭＰ３形式であればよいし、これらに限定されるものでもない。また、画像ファイル検索部５６は、音声ファイルのファイル形式に対応して、音声ファイルが表す音声の特徴を抽出できればよい。
【００８３】
画像ファイル保存部４６は、画像ファイルに付加されている音声ファイルを更新してもよい。具体的には、記憶部４８に保存されている画像ファイルに付加されている音声ファイルを、入力された他の音声ファイルに置き換えてもよい。この場合、ユーザは、画像にいったん付した名前を、別の名前に変換できる。
【００８４】
さらに、画像ファイル保存部４６は、互いに関連する複数の画像ファイル群に、一つの音声ファイルを関連づけてもよい。たとえば、連続して撮影した一連の画像を表す複数の画像ファイルの全てに、録音した日付に関する音声を表す音声ファイルを関連づけてもよい。このようにすれば、画像ファイルをより効率的に管理、識別できる。また、画像ファイル検索部５６が画像ファイルを検索する際に、関連した画像ファイル群に一度にヒットできる。
【００８５】
通信端末装置１は、音声ファイルを関連づけた画像ファイルを、通信ネットワーク回線を介して、他の装置やサーバに送信してもよい。このとき、通信部３６が、音声ファイル付き画像ファイルを記憶部４８から読み出し、無線アンテナ３８を介して送信する。
【００８６】
また、通信端末装置１は、検索用音声が入力されることをトリガとして、上述した、画像ファイルの検索処理を自動的に実行してもよい。
【００８７】
また、通信端末装置１では、移動通信装置のデジタルカメラを用いて、画像ファイルに画像を収集する工程を、画像撮影部４２が実行する。画像ファイルに音声タグを付加する工程を、画像ファイル保存部４６が実行する。移動通信装置に画像ファイルおよび音声タグを格納する工程を、画像ファイル保存部４６が実行する。音声タグを発声することにより、画像の検索を起動する工程を、音声録音部５２が実行する。移動通信装置の音声認識装置によって入力された音声タグを処理する工程を、音声ファイル処理部５４が実行する。入力された音声タグに対して格納された画像を検索する工程を、画像ファイル検索部５６が実行する。入力された音声タグに対応する画像を表示する工程を、表示部３４が実行する。
【００８８】
また、本発明の名称を、カメラ付き移動通信端末装置の画像を識別および分類するための音声認識の使用であると表現してもよい。
【００８９】
なお、上述した各部材は、いずれも機能ブロックである。したがって、これらの部材は、ＣＰＵなどの演算手段が、図示しない記憶部に格納された画像識別プログラムを実行し、図示しない入出力回路などの周辺回路を制御することによって、実現される。
【００９０】
したがって、本発明の目的は、上述した機能を実現するソフトウェアである画像識別プログラムのプログラムコード（実行形式プログラム、中間コードプログラム、ソースプログラム）をコンピュータによって読み取り可能に記録している記録媒体を、通信端末装置１に供給し、通信端末装置１に備えられるコンピュータ（またはＣＰＵやＭＰＵ、ＤＳＰ）が、記録媒体に記録されているプログラムコードを読み出し実行することによって、達成可能である。
【００９１】
この場合、記録媒体から読み出されたプログラムコード自体が、上述した機能を実現する。そのため、そのプログラムコードを記録している記録媒体は、本発明を構成することになる。
【００９２】
一方で、上述した各部材は、上述したソフトウェアと同様の処理を行うハードウェアとして実現してもよい。この場合、本発明の目的は、ハードウェアとしての通信端末装置によって達成されることになる。
【００９３】
ここで、プログラムコードを読み出し実行する演算手段は、単体の構成であればよい。または、通信端末装置内部のバスや各種の通信路を介して接続されている複数の演算手段が、プログラムコードを協同して実行する構成であってもよい。
【００９４】
演算手段によって直接的に実行可能なプログラムコードを、このプログラムコードを格納しているコンピュータ読み取り可能な記録媒体を通じて、通信端末装置に配布すればよい。また、プログラムコードを、後述する解凍などの処理によってプログラムコードを生成可能なデータとして、当該データを格納しているコンピュータ読み取り可能な記録媒体に通じて、通信端末装置に配布してもよい。あるいは、これらのプログラムコードまたはデータを、有線または無線の通信路を介してデータを伝送する通信ネットワークを通じて、通信端末装置に配布または送信してもよい。いずれの手段によって配布または送信されても、プログラムコードは、通信端末装置に備えられる演算手段によって実行される。
【００９５】
このとき、特定のものに限定されない各種の通信ネットワークを通じて、プログラムコードまたはデータを伝送できる。このような通信ネットワークの具体例を挙げると、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等がある。また、通信ネットワークを構成する伝送媒体（通信路）も、特に限定されない。具体的には、ＩＥＥＥ１３９４規格による回線、ＵＳＢ回線、電力線、ケーブルＴＶ回線、電話線、およびＡＤＳＬ回線等の有線を、伝送媒体として利用できる。さらに、ＩｒＤＡやリモコンに用いられている赤外線を利用した無線、Ｂｌｕｅｔｏｏｔｈ規格またはＩＥＥＥ８０２．１１無線規格に規定されている無線、ＨＤＲ、携帯電話網、衛星回線、地上波デジタル網等を利用した無線も、伝送媒体として利用できる。
【００９６】
なお、プログラムコードを通信端末装置に配布するための記録媒体は、プログラムコードの配布前には、取り外し可能になっていることが好ましい。しかし、プログラムコードを配布した後には、通信端末装置装置から取り外し可能になっていてもよく、通信端末装置と一体化されて取り外し不可能になっていてもよい。
【００９７】
また、記録媒体は、プログラムコードが記録されてさえいれば、書き換え（書き込み）可能であってもよく、不可能であってもよい。また、揮発性であってもよく、非揮発性であってもよい。さらに、記録媒体へのプログラムコードの記録方法、および記録媒体の形状も、任意のものでよい。
【００９８】
このような条件を満たす記録媒体を例示すると、磁気テープやカセットテープなどのテープ、フロッピー（登録商標）ディスクやハードディスクなどの磁気ディスク、ＣＤ−ＲＯＭや光磁気ディスク（ＭＯ）、ミニディスク（ＭＤ）、デジタルビデオディスク（ＤＶＤ）などのディスクがある。さらに、ＩＣカードや光カードのようなカード型メモリ、あるいは、マスクＲＯＭやＥＰＲＯＭ、ＥＥＰＲＯＭまたはフラッシュＲＯＭなどの半導体メモリも該当する。さらに、ＣＰＵなどの演算手段内に形成されているメモリも該当する。
【００９９】
なお、プログラムコードを記録媒体から読み出して主記憶に格納するためのプログラムは、あらかじめ、通信端末装置内に、コンピュータによって実行可能に格納されている。また、プログラムコードを通信ネットワークを通じて通信端末装置に配布する場合、通信ネットワークからプログラムコードをダウンロードするプログラムは、あらかじめ、通信端末装置内に、コンピュータによって実行可能に格納されている。
【０１００】
また、プログラムコードは、上述した各処理の全手段を演算手段へ指示するコードであればよい。なお、コンピュータには、プログラムコードによる各処理の一部または全部を所定の手順で呼び出すことによって実行可能な基本プログラム（たとえば、オペレーティングシステムやライブラリなど）がすでに存在している場合がある。この場合、プログラムコードにおける全手順の一部または全部を、この基本プログラムの呼び出しを演算手段へ指示するコードやポインタなどに置き換えたプログラムコードものを、画像識別プログラムのプログラムコードとしてもよい。
【０１０１】
また、記録媒体に、実メモリにプログラムコードを配置した状態のように、画像識別プログラムを格納すればよい。具体的には、演算手段が記録媒体にアクセスしてプログラムコードを実行できる形式によって、画像識別プログラムを記録媒体に格納すればよい。または、実メモリにプログラムコードを配置する前であり、かつ、演算手段が常時アクセス可能なローカルな記録媒体（たとえばハードディスクなど）にインストールした後の格納形式によって、画像識別プログラムを記録媒体に格納してもよい。あるいは、通信ネットワークや搬送可能な記録媒体などからローカルな記録媒体にインストールする前の格納形式によって、画像識別プログラムを記録媒体に格納してもよい。
【０１０２】
画像識別プログラムは、コンパイルされた後のオブジェクトコードに限られない。たとえば、画像識別プログラムは、ソースコードとして記録媒体に格納されていてもよい。あるいは、インタプリトまたはコンパイルの途中において生成される中間コードとして、記録媒体に格納されていてもよい。上述したいずれの場合であっても、記録媒体に格納されているプログラムコード（中間コード）は、演算手段が実行可能な形式に変換可能なものであればよい。
【０１０３】
すなわち、プログラムコード（中間コード）は、所定の形式変換プログラムが、圧縮されたプログラムコードを解凍したり、符号化されたプログラムコードを復元したり、ソースコードをインタプリト、コンパイル、リンク、または、実メモリへ配置したりすることによって、あるいはこれらの処理を組み合わせて実行することによって、演算手段が実行可能な形式に変換されるものであればよい。これにより、画像識別プログラムを記録媒体に格納する際の格納形式にかかわらず、同様の効果を得ることができる。
【０１０４】
本発明は、携帯電話などの移動通信端末装置における画像ファイルの整理、識別に広く利用できる。また、通信機能は必ずしも必須ではないので、ＰＤＡなどの端末装置にも利用できる。
【図面の簡単な説明】
【０１０５】
【図１】本発明の方法を示すブロック図である。
【図２】本発明の一実施形態に係る通信端末装置の構成を詳細に示すブロック図である。
【図３】通信端末装置が、画像ファイルに音声タグを関連づけて記憶部に保存する処理の流れの一例を示すフローチャートである。
【図４】通信端末装置が、入力された検索用音声に基づき、記憶部に格納されている画像ファイルを検索する処理の流れの一例を示すフローチャートである。
【符号の説明】
【０１０６】
１    通信端末装置（端末装置）
３０    制御部（制御手段）
３２    操作部
３４    表示部
３６    通信部（通信手段）
３８    無線アンテナ
４０    カメラ
４２    画像撮影部（画像撮影手段）
４４    画像ファイル処理部（画像ファイル処理手段）
４６    画像ファイル保存部（画像ファイル保存手段）
４８    記憶部
５０    マイク
５２    音声録音部（音声録音手段、検索用音声録音手段）
５４    音声ファイル処理部（音声ファイル処理手段）
５６    画像ファイル検索部（画像ファイル検索手段）
【図１】
2005276187.tif 000003
【図２】
2005276187.tif 000004
【図３】
2005276187.tif 000005
【図４】
2005276187.tif 000006